(57)【要約】      （修正有）【課題】丸鍋で煮込み・惣菜等を作る場合、多種食材の仕分けと煮上げの見た目と器材の衛生・保守管理での負担を最小限にさせる丸鍋有孔仕分け板を提供する。【解決手段】上下２枚で構成する仕切り板を十文字に組んで鍋内を４等分に仕切ることで食材の混合をなくすことが可能になる。仕分け板の素材は軽量・硬質で衛生保全が可能な暑さ１ｍｍのステンレス板で形状は煮汁循環の切欠きと循環孔を設け切断面は全て面取り加工し安全性のある板で上下中心部に設けた切欠き部を十文字に差込むことで煮汁が熱対流等で仕分けした食材の味付けが均等になり又食材同士の混入を軽減可能にすること、また仕分け板は直径１８０ｍｍと２１０ｍｍの丸鍋に限定する。【選択図】図１
0003200129.tif 000002
【実用新案登録請求の範囲】
【請求項１】
従来、丸鍋で煮込み・惣菜等を作る段階で発生する前作業（仕分け・下処理）の手間と時間の簡略化が可能となる丸鍋内底置有孔仕分け板
【請求項２】
従来の丸鍋に限定した丸鍋内有孔仕分け板
【請求項３】
従来、丸鍋内の仕分け食材にだし汁を加え加熱、途中で下処理（半加熱）された食材を鍋に分け入れる時と煮汁の熱対流で食材の混合・乱れが生じることを最小限にすることが可能となる丸鍋内有孔仕分け板
【請求項４】
丸鍋で使用頻度の高い１８０ｍｍ・２１０ｍｍに限定し、軽量・硬質で衛生保全が可能な素材にした丸鍋内有孔仕分け板
【考案の詳細な説明】
【技術分野】
【０００１】本考案は、加熱調用具内側に置かれる調理用器具に関するものである
【背景技術】
【０００２】従来、仕切り板は「おでん用鍋」に限定され、付属の仕切り板は［角型］で丸鍋には適用が出来ないばかりか丸鍋用の仕切り板は現在提供されていない。
【考案の概要】
【考案が解決しようとする課題】
【０００３】丸鍋で「煮込み・惣菜」を作る時に生ずる▲１▼多種食材の対処▲２▼仕上りの見映え▲３▼器材の衛生・保守管理等の負担を最小限にさせる手段と器材を提供することを課題とする
【課題を解決するための手段】
【０００４】▲１▼の課題を解決させるための考案は丸鍋内を４等分に仕分け、野菜・肉類・魚介類を調理時間別に後入れすることで下処理を軽減させ調理時間を短縮することが出来る丸鍋内有孔仕分け板【０００５】▲２▼の課題を解決させるための考案は鍋内に４分割組立式の仕分け板にしたことで設置・取外しを簡単にさせ、又仕分け板面に設けた様々な形状のスリット・切欠き部が煮汁の流動循環を促すことで均一な煮上げ・味付けが可能となる、又煮上げ後に仕分け板を抜き取ることで、食材の混合・乱れを最小限に押えることを可能にした丸鍋内有孔仕分け板【０００６】▲３▼の課題を解決させるための考案は仕分け板の素材を●ステンレス板（１．０ｍｍ）●アルミ板（１．０ｍｍ）の何れかで、仕分け板の形状・循環孔を全て型抜きし、切断部は全て面取り加工を施すことで仕分け板洗條時の切傷不安を払拭させ、また仕分け板の使用容器を１８０ｍｍ・２１０ｍｍの２種に限定した丸鍋内有孔仕分け板
【考案の効果】
【０００７】▲１▼の考案・▲２▼の考案・▲３▼の考案により丸鍋調理をより進化させ料理のレパートリーを拡げる楽しみが生まれる。
【図面の簡単な説明】
【０００８】
【図１】本考案の構成図
【図２】本考案の詳細図
【図３】本考案の実施形態図
【考案を実施するための形態】
【０００９】この考案の実施形態（基本形態図）を図１に示す。丸鍋内有孔仕分け板▲１▼素材は１．０ｍｍ厚のステンレス板ｏｒアルミ板。▲２▼仕分け板（２枚組）中央上下に組立用の切込みを設ける。▲３▼仕分け板面に煮汁循環用切欠きと循環用孔を設ける。
▲４▼丸鍋内に▲２▼仕分け板を十文字組み（上下切込みに差込む／４等分のスペース）
【符号の説明】
【００１０】▲１▼本体：ｔ＝１．０ｍｍ打抜きステンレスｏｒアルミ板
▲２▼容器内だし汁循環孔
▲３▼容器内だし汁循環切欠き
▲４▼仕分け板組立切込み
▲５▼仕分け板フック掛け孔Φ＝５ｍｍ
＊仕分け板をフック掛けで収納（垂直に吊り下る様に仕分け板の重心部に設ける）
【図１】
0003200129.tif 000003
【図２】
0003200129.tif 000004
【図３】
0003200129.tif 000005
【手続補正書】
【提出日】平成26年11月7日(2014.11.7)
【手続補正１】
【補正対象書類名】実用新案登録請求の範囲
【補正対象項目名】全文
【補正方法】変更
【補正の内容】
【実用新案登録請求の範囲】
【請求項１】
丸鍋で多種の食材を仕分け煮する場合、鍋内に食材を並べ置き途中で加熱処理した食材を混入する手間と時間の簡略化を可能にした丸鍋内有孔仕分け板
【請求項２】
仕分け板は組立式で直径１８０ｍｍと２１０ｍｍの丸鍋内を４分割する特徴の請求項１記載の丸鍋内有孔仕分け板。
【請求項３】
丸鍋内の並べた食材にだし汁を入れ加熱中に事前加熱した食材を鍋に分け入れる時と煮汁の熱対流等で食材の入乱れを軽減する機能を特徴とする請求項１記載の丸鍋内有孔仕分け板。
【請求項４】
仕分け板の素材は軽量・硬質で衛生保全が可能な厚さ１ｍｍのステンレス板で形状は煮汁循環用の切欠きと循環孔を設けた上下２枚で構成され鍋内の食材を４等分に仕分け出来ることを特徴とする請求項１記載の有孔仕分け板。
【手続補正書】
【提出日】平成27年1月22日(2015.1.22)
【手続補正１】
【補正対象書類名】実用新案登録請求の範囲
【補正対象項目名】全文
【補正方法】変更
【補正の内容】
【実用新案登録請求の範囲】
【請求項１】
従来、家庭内の丸鍋で多種の食材を仕分けて煮込みする場合は丸鍋内に生の食材を並べ加熱処理済みの食材を時間差で分け入れる方法では煮上がり時に食材同士が混合する場合がある。そこで考案の上下２枚で構成する仕切り板を十文字状に組んで鍋内を４等分に仕切ることで食材の混合を無くすことが可能になることを特徴とする丸鍋内有孔仕分け板
【請求項２】
又、考案の仕分け板の素材は軽量・硬質で衛生保全が可能な暑さ１ｍｍのステンレス板で形状は煮汁循環用の切欠きと循環孔を設け切断面は全て面取り加工し安全性のある板で、上下の中心部の切欠きを十文字に組むことで煮汁の熱対流等で食材が均等に味付けし食材同士の入乱れを軽減可能にすること、仕分け板は直径１８０ｍｍと２１０ｍｍの丸鍋に限定なることを特徴とする請求項１記載の丸鍋内有孔仕分け板。
【手続補正書】
【提出日】平成27年7月10日(2015.7.10)
【手続補正１】
【補正対象書類名】実用新案登録請求の範囲
【補正対象項目名】全文
【補正方法】変更
【補正の内容】
【実用新案登録請求の範囲】
【請求項１】
上下２枚で構成する仕切り板を十文字に組んで鍋内を４等分に仕切ることで食材の混合をなくすことが可能になることを特徴とする丸鍋有孔仕分け板。
【請求項２】
仕分け板の素材は軽量・硬質で衛生保全が可能な暑さ１ｍｍのステンレ板で形状は煮汁循環の切欠きと循環孔を設け切断面は全て面取り加工し安全性のある板で上下中心部に設けた切欠き部を十文字に差込むことで煮汁が熱対流等で仕分けした食材の味付けが均等になり又食材同士の混入を軽減可能にすること、また仕分け板は直径１８０ｍｍと２１０ｍｍの丸鍋に限定したことを特徴とする請求項１記載の丸鍋有孔仕分け板。
【手続補正２】
【補正対象書類名】明細書
【補正対象項目名】全文
【補正方法】変更
【補正の内容】
【考案の詳細な説明】
【技術分野】
【０００１】本考案は、加熱調理用具内に置かれる器材に関するものである。
【背景技術】
【０００２】従来の仕切り板は「おでん用鍋／角型」に限定され、付属の仕切り板は丸鍋には適用が出来ないばかりか丸鍋用は現在提供されていない。
【考案の概要】
【考案で解決しようとする課題】
【０００３】丸鍋で煮込み・惣菜等を作る場合、多種食材の［仕分け］と煮上げの［見た目］と器材の［衛生・保守管理］での負担を最小限にさせる器材を提供することを課題とする。
【考案で解決するための手段】
【０００４】前記の［仕分けの課題］を解決させるための考案は、丸鍋内を分割したスペ−スに野菜・肉類・魚介類を調理時間別に混入することで食材の味付けを均一にすることができる丸鍋有孔仕分け板。
【０００５】前記の［見た目の課題］を解決させるための考案は、丸鍋内の仕切り板面に設けた様々な形状のスリット・切欠きで煮汁の流動・循環を促し食材を均一に煮上げ、又仕分け板により食材の混合・煮崩れをなくすことで見た目の美味しさを表現する丸鍋有孔仕分け板。
【０００６】器材の［衛生、保守管理の課題］を解決させるための考案は仕分け板の素材をステンレス板（１．０ｍｍ）で形状・循環孔・スリット加工を全て型抜きで切断面は全て面取り加工を施すことで洗浄時の切傷不安を払拭させる。又使用頻度の高い１８０ｍｍ・２１０ｍｍの２種類に限定した丸鍋有孔仕分け板。
【０００７】前記の考案により丸鍋調理をより進化させ料理のレパートリーを拡張出来る楽しみが生まれる。
【図面の簡単な説明】
【０００８】
【図１】本考案の形状図
【図２】本考案の詳細図
【図３】本考案の組立図
【手続補正３】
【補正対象書類名】図面
【補正対象項目名】全図
【補正方法】変更
【補正の内容】
【図１】
0003200129.tif 000006
【図２】
0003200129.tif 000007
【図３】
0003200129.tif 000008